(57)【要約】  本発明は、下りリンク制御情報送信及び受信方法並びに基地局及び移動端末に関する。該下りリンク制御情報送信方法は：移動端末に第一下りリンク制御情報を送信し、前記第一下りリンク制御情報は、下りリンク制御情報の一部であり、また、リソース割り当て情報を含み；及び、前記リソース割り当て情報によって指定されているリソースにおいて前記移動端末に第二下りリンク制御情報を送信し、前記第二下りリンク制御情報は、前記下りリンク制御情報における、前記第一下りリンク制御情報とは異なる他の一部であることを含む。
2014529208.tif 000002
【特許請求の範囲】
【請求項１】
下りリンク制御情報送信方法であって、
移動端末に第一下りリンク制御情報を送信し、前記第一下りリンク制御情報は、下りリンク制御情報の一部であり、また、リソース割り当て情報を含み；及び
前記リソース割り当て情報によって指定されているリソースにおいて、前記移動端末  に第二下りリンク制御情報を送信し、前記第二下りリンク制御情報は、前記下りリンク制御情報の、前記第一下りリンク制御情報とは異なる他の一部である、ことを含む、方法。
【請求項２】
請求項1に記載の下りリンク制御情報送信方法であって、
前記第一下りリンク制御情報は、前記移動端末へ送信されるサブフレーム中の制御領域において送信され、前記リソース割り当て情報によって指定されているリソースは、前記サブフレームのデータ領域におけるリソースである、方法。
【請求項３】
請求項1に記載の下りリンク制御情報送信方法であって、
前記第一下りリンク制御情報は、8ビットの長さを有る巡回冗長検査コードである、方法。
【請求項４】
請求項1に記載の下りリンク制御情報送信方法であって、
制御チャネルエレメントをリソース割り当ての最小単位として、前記第二下りリンク制御情報を送信し、前記制御チャネルエレメントの個数は、1、2、4、又は8である、方法。
【請求項５】
請求項2に記載の下りリンク制御情報送信方法であって、
前記リソース割り当て情報によって指定されているリソースにおいて、前記第二下りリンク制御情報は、その前の幾つかのシンボルに分布し、周波数領域優先の方式でマッピングされる、方法。
【請求項６】
請求項1に記載の下りリンク制御情報送信方法であって、
前記第一下りリンク制御情報は、更に、第二下りリンク制御情報の符号化方式情報及び/又は変調方式情報を含む、方法。
【請求項７】
請求項1に記載の下りリンク制御情報送信方法であって、
制御チャネルエレメントにより前記第二下りリンク制御情報を送信し、前記第一下りリンク制御情報は、前記第二下りリンク制御情報の送信に使用する制御チャネルエレメントの個数を指示するための情報を含む、方法。
【請求項８】
請求項2に記載の下りリンク制御情報送信方法であって、
前記第二下りリンク制御情報の送信に採用するアンテナのランク値は、固定して1であり、又は、データ領域におけるデータの送信に使用するアンテナのランク値と同じである、方法。
【請求項９】
請求項1に記載の下りリンク制御情報送信方法であって、
送信ダイバーシティの方式で前記第二下りリンク制御情報を送信する、方法。
【請求項１０】
下りリンク制御情報受信方法であって、
第一下りリンク制御情報を受信し、前記第一下りリンク制御情報は、下りリンク制御情報の一部であり、また、リソース割り当て情報を含み；
第一下りリンク制御情報を処理し、前記リソース割り当て情報に基いて、基地局が第二下りリンク制御情報を送信するために使用するリソースを確定し；及び
確定されているリソースにおいて第二下りリンク制御情報を受信する、ことを含む、方法。
【請求項１１】
請求項10に記載の下りリンク制御情報受信方法であって、
サブフレームの制御領域において前記第一下りリンク制御情報を受信する、方法。
【請求項１２】
請求項10に記載の下りリンク制御情報受信方法であって、
前記第一下りリンク制御情報は、更に、第二下りリンク制御情報の符号化方式情報及び/又は変調方式情報を含み、
前記方法は、更に、
前記符号化方式情報及び/又は変調方式情報に基いて、前記第二下りリンク制御情報に対して復号/解調を行うことを含む、方法。
【請求項１３】
基地局であって、
第一下りリンク制御情報を処理するための第一処理ユニットであって、前記第一下りリンク制御情報は、下りリンク制御情報の一部であり、また、リソース割り当て情報を含む、第一処理ユニット；
第二下りリンク制御情報を処理するための第二処理ユニットであって、前記第二下りリンク制御情報は、下りリンク制御情報中の、前記第一下りリンク制御情報とは異なる部分である、第二処理ユニット；
移動端末へ送信されるサブフレームの制御領域において前記第一下りリンク制御情報を送信するための第一送信ユニット；及ひ、
前記サブフレームにおける、前記リソース割り当て情報によって指定されているリソースにおいて第二下りリンク制御情報を送信するための第二送信ユニットを含む、基地局。
【請求項１４】
請求項13に記載の基地局であって、
前記第一処理ユニットは、第一下りリンク制御情報の8ビットの巡回冗長検査コードを取得する、基地局。
【請求項１５】
請求項13に記載の基地局であって、
前記第二処理ユニットは、制御チャネルエレメントをリソース割り当ての最小単位として採用し、前記第二下りリンク制御情報に対してマッピングを行い、前記第二下りリンク制御情報が占用する制御チャネルエレメントの個数は、1、2、4、又は8である、基地局。
【請求項１６】
請求項13に記載の基地局であって、
前記第二処理ユニットは、第二下りリンク制御情報を、前記リソース割り当て情報によって指定されているリソース中の前の幾つかのシンボルの領域にマッピングする、基地局。
【請求項１７】
請求項11に記載の基地局であって、
前記第一下りリンク制御情報は、更に、前記第二下りリンク制御情報の変調情報及び/又は符号化情報を含む、基地局。
【請求項１８】
移動端末であって、
第一下りリンク制御情報を受信するための第一下りリンク制御情報受信ユニットであって、前記第一下りリンク制御情報は、下りリンク制御情報の一部であり、また、リソース割り当て情報を含む、第一下りリンク制御情報受信ユニット；
第一下りリンク制御情報に対して処理を行い、第二下りリンク制御情報の送信用のリソースを確定するための第一下りリンク制御情報処理ユニット；
確定されているリソースにおいて第二下りリンク制御情報を受信するための第二下りリンク制御情報受信ユニット；及び、
第二下りリンク制御情報に対して処理を行うための第二下りリンク制御情報処理ユニットを含む、移動端末。
【請求項１９】
ロジック部品可読プログラムであって、
前記プログラムは、基地局中のロジック部品により実行される時に、前記基地局に、請求項1-7のうちのいずれか１項に記載の方法を実現させ、又は、前記基地局に、請求項11-15のうちのいずれか１項の記載の基地局を実現させる、プログラム。
【請求項２０】
ロジック部品可読プログラムであって、
前記プログラムは、移動端末中のロジック部品により実行される時に、前記移動端末に、請求項8-10のうちのいずれか１項に記載の方法を実現させ、又は、前記移動端末に、請求項16に記載の移動端末を実現させる、プログラム。
【請求項２１】
有形記憶媒体であって、
前記有形記憶媒体には、請求項19又は20に記載のロジック部品可読プログラムが記憶されている、有形記憶媒体。
【発明の詳細な説明】
【技術分野】
【０００１】
本発明は、通信分野に関し、特に、通信分野における下りリンク制御情報の送信及び受信に関する。
【背景技術】
【０００２】
LTEシステムでは、物理下り制御チャネル（PDCCH)を採用して、下りスケジューリング情報(DL-Grant)、上りスケジューリング情報(UL-Grant)、パワー制御情報などを含む制御情報を伝送する。セルにおける全ての移動局のPDCCHは、一つのサブフレームの前の幾つかのOFDMシンボルに多重化される。最大で3個のOFDMシンボルは、PDCCHの伝送のために用いられ、その後のOFDMシンボルは、基地局が移動局のPDSCHを送信するために用いられる。本文では、サブフレームにおける、PDCCHの伝送用の最大で3個のOFDMシンボルの領域は、制御領域とも称され、また、PDSCHの送信用のOFDMシンボルの領域は、データ領域とも称される。
【０００３】
図1は、LTEシステムにおける典型的なサブフレームの構造を示す。
【０００４】
PDCCHの最小割り当て単位は、制御チャネルエレメント（CCE、control  channel  element)である。一つのPDCCHが占用し得るCCEの個数は、1、2、4、又は8であってよく、各CCEに含まれるリソースエレメント(RE、resource  element)の数は、36である。この36個のREは、交互的な方式を採用してバンド幅全体に分布する。送信側はマルチアンテナを採用して送信する時に、PDCCHが採用する送信方式は、送信ダイバーシティTxD(transmit  diversity)に基づく方式であり、採用されるダイバーシティ方式は、空間周波数ブロックコーディング(SFBC)である。PDCCHは、QPSK変調方式を固定して採用し、採用される畳み込みコードは、前方誤り訂正コードである。
【０００５】
図2は、従来技術におけるPDCCHの送信側の処理過程を示す図である。図2に示すように、まず、ステップ201で、全ての下りリンク制御情報のソース情報ビットに基づいて16桁の巡回冗長検査(Cyclic  Redundancy  Check、CRC)コードを生成する。その後、ステップ202で、生成されたシーケンスに対してTBCC (TBCC、tail  biting  convolutional  coding)を行う。続いて、ステップ203で、コーディング（符号化）後の情報ビットに対いてQPSK変調を行い、そして、ステップ204で、生成されたシンボルシーケンスを、割り当てられたCCEの各リソースエレメントにマッピングし、最後に、ステップ205で、アンテナにより送信する。
【０００６】
幾つかのシナリオでは、3個のOFDMシンボルの容量は、現在の移動局のスケジューリングの要求を満足することができない。このようなシナリオでは、例えば、LTE  release  11において、一つのセルに同時に複数のリモートラジオヘッド(RRH、radio  remote  head)が存在するときに、RRHをセルのホットスポット又はセルのエッジに構成することにより、このような領域の移動局に、より良いサービスを提供する。図3は、RRHを含む典型的なセル構成を示す。典型的には、RRHの送信パワーが比較的低く、且つ、RRHの間の距離が比較的遠いため、異なるRRHのカバリッジ内の移動局が同じリソースを共有することができる。即ち、比べて言えば、一つのサブフレームのリソースにおいて、一つのセル中にスケジューリングし得る移動局が大いに増加する可能性があるため、一つのサブフレームにおいて送信する必要のあるスケジューリング情報もそれ相応に増加し、よって、従来の3個のOFDMシンボルにより、全ての移動局のスケジューリング情報を収容することができない可能性がある。このような問題を解決できなければ、ユーザのスケジューリングを減少させ、システムのスループットを下げるおそれがある。
【発明の概要】
【発明が解決しようとする課題】
【０００７】
本発明は、従来技術の以上の状況に鑑みてなされたものであり、その目的は、従来技術の制約又は欠点による一つ又は複数の欠点を克服又は緩和し、少なくとも一つの有益な選択を提供することにある。
【課題を解決するための手段】
【０００８】
本発明の一側面によれば、下りリンク制御情報送信方法が提供され、前記方法は：移動端末に第一下りリンク制御情報を送信することであって、前記第一下りリンク制御情報は、下りリンク制御情報の一部であり、また、リソース割り当て情報を含む、こと；及び、前記リソース割り当て情報により指定されているリソースにおいて、前記移動端末に第二下りリンク制御情報を送信することであって、前記第二下りリンク制御情報は、前記下りリンク制御情報中の、前記第一下りリンク制御情報とは異なる他の一部である、ことを含む。
【０００９】
本発明の他の側面によれば、下りリンク制御情報受信方法が提供され、前記方法は：第一下りリンク制御情報を受信することであって、前記第一下りリンク制御情報は、下りリンク制御情報の一部であり、また、リソース割り当て情報を含む、こと；第一下りリンク制御情報を処理し、前記リソース割り当て情報に基いて、基地局が第二下りリンク制御情報を送信するために使用するリソースを確定すること；及び、確定されているリソースにおいて、第二下りリンク制御情報を受信することを含む。
【００１０】
本発明の他の側面によれば、基地局が提供され、前記基地局は：第一処理ユニットであって、第一下りリンク制御情報を処理するために用いられ、前記第一下りリンク制御情報は、下りリンク制御情報の一部であり、また、リソース割り当て情報を含む、第一処理ユニット;第二処理ユニットであって、第二下りリンク制御情報を処理するために用いられ、前記第二下りリンク制御情報は、下りリンク制御情報中の、前記第一下りリンク制御情報とは異なる部分である、第二処理ユニット；第一送信ユニットであって、移動端末へ送信されるサブフレームの制御領域において前記第一下りリンク制御情報を送信するために用いられる、第一送信ユニット；及び、第二送信ユニットであって、前記サブフレームにおける、前記リソース割り当て情報により指定されているリソースにおいて、第二下りリンク制御情報を送信するために用いられる、第二送信ユニットを含む。
【００１１】
本発明の他の側面によれば、移動端末が提供され、前記移動端末は：第一下りリンク制御情報受信ユニットであって、第一下りリンク制御情報を受信するために用いられ、前記第一下りリンク制御情報は、下りリンク制御情報の一部であり、また、リソース割り当て情報を含む、もの；第一下りリンク制御情報処理ユニットであって、第一下りリンク制御情報に対して処理を行い、第二下りリンク制御情報を送信するためのリソースを確定するために用いられる、もの；第二下りリンク制御情報受信ユニットであって、確定されているリソースにおいて、第二下りリンク制御情報を受信するために用いられる、もの；及び、第二下りリンク制御情報処理ユニットであって、第二下りリンク制御情報に対して処理を行うために用いられる、ものを含む。
【００１２】
本発明の他の側面によれば、ロジック部品可読プログラムが提供され、前記プログラムは、基地局におけるロジック部品により実行される時に、前記基地局に、本発明の下りリンク制御情報送信方法を実現させることができ、又は、前記基地局に、本発明の実施形態による基地局を実現させることができる。
【００１３】
本発明の他の側面によれば、ロジック部品可読プログラムが提供され、前記プログラムは、移動端末におけるロジック部品により実行される時に、前記移動端末に、本発明の実施形態による下りリンク制御情報受信方法を実現させることができ、又は、前記移動端末に、本発明の実施形態による移動端末を実現させることができる。
【００１４】
本発明の実施形態によれば、有形記憶媒体が更に提供され、前記有形記憶媒体には、上述のロジック部品可読プログラムが記憶されている。
【図面の簡単な説明】
【００１５】
次の図面に基づく本発明の実施例につての説明を参照することにより、本発明の以上及び他の目的、特徴及び利点をより容易に理解することができる。なお、図面中の部品は、比例して描かれたものではなく、本発明の原理を示すためだけのものである。また、本発明の一部を容易に説明する又は示すために、図面中の対応する部分を拡大することがあり、これにより、このような部分は、本発明に基づいて実際に製造された例示的な装置中の他の部品より大きくなる可能性がある。また、図面では、同じ又は対応する技術的特徴又は部品が、同じ又は対応する符号により示される。
【図１】LTEシステムの典型的なサブフレーム構造を示す図である。
【図２】従来技術におけるPDCCHの送信側の処理過程を示す図である。
【図３】RRHを含む典型的なセル構成を示す図である。
【図４】本発明の一実施形態による下りリンク制御情報送信方法を示す図である。
【図５】本発明の一実施形態におけるサブフレーム中のDCIの分布を示す図である。
【図６】本発明の一実施形態による基地局の機能を示すブロック図である。
【図７】本発明の一実施形態による移動端末の例として使用される携帯電話を示す図である。
【図８】本発明の一種実施形態による下りリンク制御情報受信方法のフローチャートである。
【図９】本発明の一実施形態による下りリンク制御情報受信方法のフローチャートである。
【図１０】本発明の一実施形態による移動端末の機能を示すブロック図である。
【発明を実施するための形態】
【００１６】
以下、図面を参照しながら、本発明の実施形態を説明する。本発明の一つの図面又は一つの実施形態に記載の要素及び特徴は、一つ又は複数の他の図面又は実施形態に示す要素及び特徴と組み合わせることができる。なお、明確にするために、図面及び説明には、本発明と関係のない、当業者に既知の部品及び処理の図示及び記載が省略される。
【００１７】
上述の説明及び図面には、本発明の特定の実施形態を詳しく開示しており、本発明の原理を採用し得る方式を明確に示している。なお、理解すべきは、本発明は、範囲上で、それらに限定されないとのことである。添付した特許請求の範囲における精神及び技術的範囲内では、本発明は、あらゆる変更、変形及び代替によるものをも含む。
【００１８】
また、強調すべきは、「包括/含む/有する」のような用語が本文に使用される時に、特徴、要素、ステップ、又はアセンブリの存在を指すが、一つ又は複数の他の特徴、要素、ステップ又はアセンブリの存在又は付加を排除しないとのことをも指す。
【００１９】
図4は、本発明の一実施形態による下りリンク制御情報送信方法を示す。
【００２０】
図4に示すように、本発明の一実施形態による下りリンク制御情報送信方法は、まず、ステップS401で、移動端末に第一DCI情報（下りリンク制御情報）を送信し、その後、ステップS402で、第一DCIにより指定されているリソースにおいて、移動端末に第二DCI情報を送信する。なお、送信される前に、第一DCI及び第二DCIは、それぞれ、冗長検査コード生成、コーディング、変調、リソースマッピングなどの処理を受けている。
【００２１】
従来の技術案では、PDCCHは、下りリンク制御情報（DCI)をキャリー（Carry）する。下りリンク制御情報における内容は、次のような内容、即ち、
1、リソース割り当て情報
2、変調コーディング情報
3、プリコーディング情報
4、HARQ情報
5、他の制御情報
を含む可能性がある。
【００２２】
そのうち、リソース割り当て情報は、PDSCH上で下りデータを伝送用のリソースを指示するため用いられる。DL-SCH(下りリンク共有チャネル）にデータの送信があれば、PDCCH上でその対応する下りリンク割り当て情報を送信し、UEが自分へのPDCCHを検出し且つ成功裏に復調した後に、構成されているPDSCHに基づいて、該サブフレームのデータ領域においてデータを受信する。
【００２３】
以上の第2〜5項にリストされている各種の下りリンク制御情報は、当業者にとって既知のものであるため、本文では、その詳しい説明を省略する。
【００２４】
制御領域におけるOFDMシンボルが有限（最大で３個のOFDMシンボル）であることにより、システムのスループットが制約されるとの問題を解決するために、本発明は、DCI情報を第一DCI情報及び第二DCI情報に分け、前記第一DCI情報は、リソース割り当て情報を含む。いくつかの実施形態では、前記第一DCI情報に、以上の第2-5項にリストされている情報のうちの一部を付加してもよい。第二DCI情報は、第一DCI情報のうちの情報以外の全ての他の下り制御情報を含んでも良い。
【００２５】
本発明の実施形態によれば、制御領域において第一DCI情報を送信し、且つ、第一DCI中のリソース割り当て情報によって指定されているデータ領域中のリソースにおいて、他のDCI情報（第二DCI情報）を送信するので、制御領域中の伝送量を低減し、通信システムのスループットを向上させることができる。第一DCI情報は、同時に、制御シグナリング及びデータ信号がデータ領域において占用するリソースを指定しているので、移動端末は、第一DCI情報を復号（decoding）した後に、他のDCI情報（第二DCI情報）及びデータ情報を取得することができる。
【００２６】
制御領域において第一DCI情報のみを伝送するので、制御領域中のPDCCHのソースビットの長さがかなり減少する。例えば、リソース割り当て情報（resource  allocation)フィールドの長さは、10MHzのバンド幅に対して17個のビットしかない。よって、一実施形態では、第一DCI情報に対してのCRCの長さは、16個のビットから8個のビットまで減る。
【００２７】
一実施形態では、データ領域のPDCCH(第二DCI情報）は、依然として、CCEをそのリソース割り当ての最小単位として採用し、占用し得るCCEの個数は、1、2、4、又は8である。このような場合、第一DCI情報には、第二DCIの送信に使用するCCEの個数を指示するための情報が含まれる。一実施形態では、第一DCI情報は、2bitにより、データ領域における第二DCI情報が使用するCCEの個数を指示する。
【００２８】
一実施形態では、第二DCI情報は、周波数領域優先の原則に従って、第一DCI情報によって指定されるリソースに割り当てられる。周波数領域優先とは、情報が時間領域リソースにおいてマッピングを行う時に、まず、時間領域のある（某個）OFDMシンボルを固定し、その後、このOFDMシンボルにおいて、周波数の小から大への順序に従って、順に、対応する第二DCIの情報シンボルをマッピングすることを指す。このようにして、第一DCI情報によって指定されるリソースにおいて、第二DCI情報は、前の幾つかのOFDMシンボルに分布する。
【００２９】
図5は、本発明の一実施形態におけるサブフレーム中のDCIの分布図である。図5に示すように、本発明の一実施形態におけるサブフレームでは、第一DCIは、サブフレームの制御領域に分布する。第二DCIは、第一DCIによって指定されるリソースのうちの前の若干個のシンボルに分布する。なお、関連する規格の現在の規定によれば、制御領域は、サブフレームにおける最大で前の３個のOFDMシンボルであり、しかしながら、規格の変化に伴い、制御領域は、より多くのサブフレームにおけるより多くのシンボルを占用することもできる。
【００３０】
一実施形態では、移動端末と約束されている変調方式（例えば、QPSK変調）を採用して、第二DCI情報に対して変調を行う。
【００３１】
他の実施形態では、第二DCIは、現在のチャネル状態に基づいて、自己適応的に変調方式を調整してもよく、例えば、QPSK、及び、QPSKよりも高い次数の変調方式例えば16QAMを採用しても良い。このような場合、前記第一DCIには、更に変調情報が含まれる。
【００３２】
一実施形態では、約束されている符号化方式（例えば、畳み込み符号化）を採用して、第二DCI情報に対して符号化を行う。他の実施形態では、約束されていない符号化方式を採用して、第二DCI情報に対して符号化を行っても良い。この時に、前記第一DCIには、更に第二DCI情報の変調情報が含まれる。
【００３３】
一実施形態では、閉ループMIM0の送信方式を採用すれば、データ領域のPDCCH(第二DCI情報）は、固定のrank=1の送信方式を採用する。このような場合、第二DCI情報の送信に使用するアンテナのランクは、データ領域におけるデータの送信に使用するアンテナのランクとは異なる可能性がある。第二DCI情報の送信に使用するプリコーディングマトリックスは、データ領域におけるデータの送信に使用するプリコーディングマトリックスとは異なる可能性もある。
【００３４】
他の実施形態によれば、データと同じrank及びプリコーディングマトリックスを採用して第二DCI情報を送信しても良い。送信方式が閉ループMIM0から送信ダイバーシティへ戻った時に、送信ダイバーシティの送信方式を採用して、第二DCI情報を送信する。
【００３５】
本発明の実施形態によれば、第二DCI情報は、第一DCI情報によって指示されているリソースにおいて送信される。第一DCI情報によって指示されているリソースは、各種類の要因（例えば、移動局がフィードバックした、あるセグメントのリソースに対してのチャネル状態情報(CSI)、例えば、チャネル質量情報(CQI)、プリコーディング情報(PMI)、ランク情報(RI)など）に基づいて確定されているため、比較的良いリソースにおいて、第二DCI情報をスケジューリングすることができ、これにより、システムの柔軟性を向上させ、システムのパフォーマンスを改善することができる。
【００３６】
図6は、本発明の一実施形態による基地局の機能ブロック図である。図6に示すように、本発明の一実施形態による基地局は、第一処理ユニット601であって、第一DCI情報の処理を行うために用いられ、前記処理は、第一DCI情報の巡回冗長検査コードの取得、符号化及び変調の実行、リソースマッピングなどを含み、前記第一DCI情報は、リソース割り当て情報を含む、もの；第二処理ユニット602であって、第二DCI情報の処理を行うために用いられ、前記処理は、第二DCI情報の巡回冗長検査コードの取得、符号化及び変調の実行、リソースマッピングなどを含み、前記第二DCI情報は、第一DCI情報以外の下りリンク制御情報を含む、もの；第一送信ユニット603であって、移動端末へ送信されるサブフレームの制御領域にいて前記第一DCI情報を送信するために用いられる、もの；及び、第二送信ユニット604であって、前記サブフレームにおける、前記リソース割り当て情報によって指定されているリソースにおいて第二DCI情報を送信するために用いられる、ものを含む。
【００３７】
一実施形態によれば、第一処理ユニット601は、第一DCI情報の8個のビットの巡回冗長検査コードを取得する。
【００３８】
一実施形態では、第二処理ユニット602は、CCEをそのリソース割り当ての最小単位として採用し、第二DCI情報に対してマッピングを行い、前記第二DCI情報が占用するCCEの個数は、1、2、4、又は8である。このよう場合、第一DCI情報には、第二DCIの送信に使用するCCEの個数を指示するための情報が含まれる。一実施形態では、第一DCI情報は、2bitにより、データ領域中の第二DCI情報が使用するCCEの個数を指示する。
【００３９】
一実施形態では、第二処理ユニット602は、第二DCI情報を、第一DCI情報によって指定されるリソース中の前の幾つかのシンボルの領域にマッピングする。
【００４０】
一実施形態では、第二処理ユニット602は、受信側と約束されている符号化方式(例えば、畳み込み符号化）を採用して、第二DCI情報に対して符号化を行う。第二処理ユニット602は、受信側と約束されていない符号化方式を採用して、第二DCI情報に対して符号化を行ってもよく、このような場合、第一DCI情報には、更に、第二DCI情報の符号化方式に関連する情報が含まれる。
【００４１】
一実施形態では、第二処理ユニット602は、受信側と約束されている変調方式(例えばQPSK変調）を採用して、第二DCI情報に対して変調を行う。
【００４２】
他の実施形態では、第二処理ユニット602は、約束されていない変調方式（例えば、QPSKよりも高い次数の変調方式例えば16QAM)を採用して、第二DCI情報に対して変調を行う。このような場合、前記第一DCIには、更に、第二DCI情報の変調方式に関連する情報が含まれる。
【００４３】
一実施形態では、第二送信ユニット604は、rank=1の送信方式を採用して第二DCIを送信する。
【００４４】
他の実施形態によれば、第二送信ユニット604は、データと同じrank及びプリコーディングマトリックスを採用して第二DCIを送信しても良い。送信方式が閉ループMIMOから送信ダイバーシティに戻った時に、送信ダイバーシティの送信方式を採用して第二DCIを送信する。
【００４５】
図7は、本発明の実施形態による移動設備（ユーザ端末）の例として使用される携帯電話を示す図である。なお、本発明の実施形態に使用し得る移動端末又はユーザ端末は、携帯電話に限定されない。通信能力を有するPDA、ノートパソコン、ゲーム機なども本発明の実施形態に応用することができる。図7に示すように、携帯電話10は、開位置と閉位置との間に移動可能なカバー15を有する折り畳み型電話であっても良い。図7に示すのは、カバー15は、開位置に位置するものである。なお、理解すべきは、携帯電話10は、他の構造、例えば、「長い板型電話」又は「スライド型電話」のような構造を有しても良いとのことである。
【００４６】
携帯電話10は、表示器14を含んでもよく、表示器14は、ユーザに、例えば、操作の状態、時間、電話番号、電話帳情報、各種のメニューなどの情報を表示し、これにより、ユーザは、携帯電話10の各種の特徴を利用することができる。表示器14は、更に、可視的に、携帯電話10が受信した、及び/又は、携帯電話10の記憶器（図示せず）から検索により得た内容を表示しても良い。表示器14は、ユーザに、画像、ビデオ、及び他の図形、例えば、写真、移動テレビの内容、及びゲームに関連するビデオを表示してもよい。
【００４７】
キーボード18は、複数種類のユーザ入力操作を提供する。例えば、キーボード18は、英数字情報（例えば、電話番号、電話番号リスト、電話帳情報、メモ帳、テキストなど）の入力を許す英数字キーを含んでもよい。また、キーボード18は、特定の機能キー17、例えば、起動又は電話に応答するための“送信”キー、及び、終了又は電話を“切る”ための“終了”キーを含んでもよい。特定の機能キーは、さらに、表示器14のメニューに表示されている、ナビゲーションに便利なナビゲーションメニューにおけるメニューナビゲーションキー及び選択キーを含んでもよい。例えば、ポインティングデバイス及び/又はナビゲーションキーを提供することにより、ユーザからの指向性入力を受信することができる。また、表示器14及びキーボード18は、組み合わせて使用することにより、ソフトキーの機能を実現することができる。また、携帯電話10は、さらに、アンテナ、マイクロコントローラ、スピーカー50及びマイク52などの、その機能を実現するに必要な部品を含んでもよい。
【００４８】
図8は、本発明の一実施形態による下りリンク制御情報受信方法のフローチャートである。
【００４９】
図8に示すように、まず、ステップS801で、第一DCI情報を受信する。例えば、サブフレームの制御領域において第一DCI情報を受信することができ、前記第一DCI情報は、リソース割り当て情報を含む。その後、ステップS802で、前記リソース割り当て情報に基いて、基地局が第二DCI情報を送信するために使用するリソースを確定する。続いて、ステップS803で、確定されているリソースにおいて第二DCI情報を受信する。
【００５０】
一実施形態では、第一DCI情報は、8bitの巡回冗長検査コードを有し、ステップS802で、8bitの巡回冗長検査コードに基づいて、第一DCI情報に対して復号（decoding）を行い、これにより、基地局が第二DCI情報を送信するときに使用するリソースを確定する。
【００５１】
図9は、本発明の一実施形態による下りリンク制御情報受信方法のフローチャートである。一実施形態によれば、前記第一DCI情報は、更に、第二DCI情報の変調方式情報/符号化方式情報を含む。前記方法は、更に、第一DCI情報に基いて、第二DCI情報の変調方式を確定するステップ（S901)、及び、確定されている変調方式/符号化方式に基づいて、第二DCI情報に対して解調/復号を行うステップ（S902)を含む。
【００５２】
図10は、本発明の一実施形態による移動端末の機能ブロック図である。
【００５３】
図10に示すように、本発明の一実施形態による移動端末は、第一DCI情報受信ユニット1001であって、第一DCI情報を受信するために用いられ、例えば、基地局から送信されて来たサブフレームの制御領域において第一DCI情報を受信し、該第一DCI情報は、リソース割り当て情報を含む、もの；第一DCI情報処理ユニット1002であって、第一DCI情報に対して処理を行い、これにより、前記サブフレームにおける、第二DCI情報を送信するためのリソースを確定するために用いられる、もの；第二DCI情報受信ユニット1003であって、確定されているリソースにおいて第二DCI情報を受信するために用いられる、もの；及び、第二DCI情報処理ユニット1004であって、第二DCI情報に対して処理を行うために用いられる、ものを含む。
【００５４】
一実施形態では、第一DCI情報は、更に、第二DCIの変調情報/符号化情報を含む。第二DCI情報処理ユニットは、該変調情報/符号化情報に基いて、第二DCI情報に対して解調/復号を行う。他の実施形態では、第二DCI情報の変調方式は、送信側（例えば基地局）及び受信側（例えば受信機）が約束しているものであり、この時に、送信側は、受信側に、第二DCI情報の変調情報/復号情報を送信する必要がない。
【００５５】
本発明の実施形態についての説明では、方法、ステップについての説明は、装置、ユニットへの理解を助けるために用いられてもよく、装置、ユニットについての説明は、方法、ステップへの理解を助けるために用いられても良い。また、受信側の処理についての説明は、送信側の処理への理解を助けるために用いられてもよく、送信側の処理についての説明は、受信側の処理への理解を助けるために用いられても良い。
【００５６】
本発明の上述の装置、ユニット、方法及び方法のステップは、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。ロジック部品は、例えば、Field Programmable ロジック部品、マイクロプロセッサ、コンピュータに用いる処理器などである。また、本発明は、さらに、上述のプログラムを記録している記憶媒体、例えば、ハードディスク、磁気ディスク、光ディスク、DVD、flashメモリ、磁気光ディスク、メモリカード、メモリスティックなどにも関する。
【００５７】
本文では、一実施形態について説明した及び／又は示した特徴は、同じ又は類似する方式で、一つ以上の他の実施形態に使用し、他の実施形態における特徴と組み合わせ、又は、他の実施形態における特徴を置換することができる。
【００５８】
以上、本発明の好ましい実施形態を説明したが、本発明はこの実施形態に限定されず、本発明の趣旨を離脱しない限り、本発明に対するあらゆる変更は本発明の技術の範囲に属する。
【図１】
2014529208.tif 000003
【図２】
2014529208.tif 000004
【図３】
2014529208.tif 000005
【図４】
2014529208.tif 000006
【図５】
2014529208.tif 000007
【図６】
2014529208.tif 000008
【図７】
2014529208.tif 000009
【図８】
2014529208.tif 000010
【図９】
2014529208.tif 000011
【図１０】
2014529208.tif 000012
【国際調査報告】
2014529208.tif 000013
2014529208.tif 000014
2014529208.tif 000015
2014529208.tif 000016
2014529208.tif 000017
2014529208.tif 000018
2014529208.tif 000019
2014529208.tif 000020